(57)【要約】      （修正有）【課題】椅子等で座板部を昇下降させるスピンドルの見掛けが常に綺麗に維持され、異物がスピンドルに付いて外部に離脱される現象が全く発生せず、グリースが外部に露出されないこと。【解決手段】案内孔１１０を有する外筒体１００と、内壁にガス移動路が形成されるように、内側及び外側パイプからなるスピンドル２００と、ロッド３２０の上端が内側パイプ２２０にスライド挿入されるピストン２００を有してなるピストンロッド３２０と、スピンドル２００の上側に結合され、バルブピン４２０の動作に応じて、ピストン２００を中心にしてスピンドル２００が上下に動作されるように制御するバルブ体４００と、スピンドル２００の下端部の外側に外筒体１００の内壁とスライド接するように突き出て形成されたブッシング部材５００と、外筒体１００の上端に結合され、スピンドル２００を案内するように案内孔６１０を有するブッシングキャップ６００を含む。【選択図】図２
2015007472.tif 000002
【特許請求の範囲】
【請求項１】
案内孔を有する外筒体と、
前記案内孔に上下に挿入され、内壁にガス移動路が形成されるように、内側パイプ及び外側パイプからなるスピンドルと、
ロッドの下端が前記外筒体の底面に固定され、ロッドの上端が前記内側パイプにスライド挿入されるピストンを有してなるピストンロッドと、
前記スピンドルの上側に結合され、ガスの移動方向を制御するバルブピンの動作に応じて、前記ピストンを中心にして前記スピンドルが上下に動作されるように制御するバルブ体と、
前記スピンドルの下端部の外側に前記外筒体の内壁とスライド自在に接するように突き出て形成されたブッシング部材と、
前記外筒体の上端に結合され、前記スピンドルを案内するように案内孔を有するブッシングキャップと、を含むことを特徴とする、
グリース遮断用ガスシリンダー。
【請求項２】
前記ブッシング部材が、前記スピンドルの外側に一体型に形成されたことを特徴とする、請求項１に記載のグリース遮断用ガスシリンダー。
【請求項３】
前記ブッシング部材が、パイプ状に前記スピンドルを挟んで結合されたことを特徴とする、請求項１に記載のグリース遮断用ガスシリンダー。
【請求項４】
前記ブッシングキャップは、底面に前記外筒体の上側の外壁または内壁に密着され、剪断変形を防止する補強部が形成されたことを特徴とする、請求項１に記載のグリース遮断用ガスシリンダー。
【請求項５】
前記補強部の外側に上端が前記補強部を支持し、下端が下向延長され、その端部が前記外筒体の外側に固定されるキャンパイプが結合されることを特徴とする、請求項４に記載のグリース遮断用ガスシリンダー。
【請求項６】
前記外筒体の外側にパイプ状の補強パイプが更に結合されることを特徴とする、請求項１に記載のグリース遮断用ガスシリンダー。
【請求項７】
案内孔を有する外筒体と、
前記案内孔に上下に挿入され、内壁にガス移動路が形成されるように、内側パイプ及び外側パイプからなるスピンドルと、
ロッドの下端が前記外筒体の底面に固定され、ロッドの上端が前記内側パイプにスライド挿入されるピストンを有してなるピストンロッドと、
前記スピンドルの上側に結合され、ガスの移動方向を制御するバルブピンの動作に応じて、前記ピストンを中心にして前記スピンドルが上下に動作されるように制御するバルブ体と、
前記スピンドルの下端部の外側に前記外筒体の内壁とスライド自在に接するように突き出て形成されたブッシング部材と、
外面が前記外筒体の内壁に結合され、内径が前記スピンドルのブッシング部材とスライド自在に接する外筒ブッシングと、を含んで構成されることを特徴とする、
グリース遮断用ガスシリンダー。
【発明の詳細な説明】
【技術分野】
【０００１】
本発明は、椅子等に高さを調節するために設けられるガスシリンダーに関し、より詳細には、椅子の座板部を回転及び昇下降させるスピンドルが上下動作を連続的に繰り返す際に、外筒体の内に投入されたグリースがスピンドルの外側の表面に付いて、外筒体の外部に離脱される現象が防止できるグリース遮断用ガスシリンダーに関する。
【背景技術】
【０００２】
一般的に、ガスシリンダーは、椅子等の使用者が座る座板部の高さの調節構造に適用され、使用者の選択に応じて、ガス圧を通じて座板部を昇下降させる役割をする。
【０００３】
従来のガスシリンダーは、ガススプリングとも言い、図１に示すように、地面に提供されるベースに垂直に設けられる中空状の外筒体１０と、前記外筒体１０の内部の上側に結合されたブッシング部材２０と、前記ブッシング部材２０の内側に上下方向にスライド自在に挿入され、その間にガス流路を形成し、内側及び外側パイプ３２、３４からなるスピンドル３０と、前記内側パイプ３２の内部にスライド自在に位置され、ガス圧に応じて前記スピンドル３０を昇下降させるピストン４０と、上端が前記ピストン４０の底面の中心に固定され、下端が前記外筒体１０の底面に固定されるロッド５０と、前記スピンドル３０の上側に結合され、ガスの移動方向を制御するバルブピンの動作に応じて、前記スピンドル３０が上下に動作されるように制御するバルブ体６０と、前記バルブピン６２を動作させるレバーで構成される。
【０００４】
上記のガスシリンダーは、ガスの移動を通じて操作されるものであって、前記ピストン４０を中心にして上下側の空間に位置したガスが前記バルブ体６０に形成されたバルブピンの動作に応じて、バルブ体６０と内側パイプ３２、及び外側パイプ３４の間のガス流路を通じて移動しながら、前記スピンドル３０を昇下降させる。
【０００５】
上記のような構造のガスシリンダーは、公知のように、主に椅子に適用されており、着席者の操作レバーを通じた操作の際に、前記ロッド５０の支持によってスピンドル３０が昇下降し、座板部が昇下降される。
【０００６】
ところが、上記のガスシリンダーの場合、椅子の座板部を上昇させると、スピンドル３０がブッシング部材２０の内壁にスライドされ、外面が外部に露出されるが、この際、円滑なスライドのために内部に塗布されるグリース（ｇｒｅａｓｅ）等の液状の潤滑油がスピンドル３０の表面に付いてしまう問題があった。
【０００７】
さらに、スピンドルの持続的なスライドのために、外部でスピンドルにグリース等の液状の潤滑油を塗布し、外部からの物または手等が接触する場合、液状の潤滑油が付いてしまう問題、及び液状の潤滑油によって見掛けが綺麗にならない問題があった。
【０００８】
このような問題を解決するために、本発明の出願人によって韓国登録特許公報第１０−１２３３０９７号（グリース漏出防止用ガスシリンダー）が既に提示されている。
【０００９】
これは、外筒体と、前記外筒体の内部の上側に結合されたブッシング部材と、前記ブッシング部材の内側に上下方向にスライド自在に挿入され、内側及び外側パイプからなるスピンドルと、前記内側パイプの内部にスライド自在に位置され、ガス圧に応じて前記スピンドルを昇下降させるピストンと、上端が前記ピストンの底面の中心に固定され、下端が前記外筒体の底面に固定されるロッドと、前記スピンドルの上側に結合され、ガスの移動方向を制御するバルブピンの動作に応じて前記スピンドルが上下に動作されるように制御するバルブ体と、前記バルブピンを動作させるレバーで構成されるガスシリンダーにおいて、前記ブッシング部材の上端に前記ブッシング部材をカバーするようにカバーが結合され、前記カバーの内周面に周縁に沿って案内溝が形成され、前記案内溝に前記スピンドルの外面と接するパッキングが結合されるようにしたものである。
【００１０】
これによって、椅子等へ適用する際、外筒体のブッシング部材から引き出され、座板部を昇下降させるスピンドルの外面が、パッキングによってグリース等の薬液が外部に露出されないため、美しくて綺麗な見掛けの確保が可能になる。
【００１１】
ところが、上記のような構造の場合、スピンドルがブッシング部材にスライドされ、上下に連続的に繰り返して移動することによって、スピンドルに付いて外部に露出されるグリースが、スピンドルが下降する際にブッシング部材に掛けられ、グリースがブッシング部材の上端に積もるようになる問題があった。
【先行技術文献】
【特許文献】
【００１２】
【特許文献１】韓国登録特許公報第１０−１２３３０９７号（グリース漏出防止用ガスシリンダー）
【発明の概要】
【発明が解決しようとする課題】
【００１３】
ここで、本発明は、上記のような問題点を解決するために創案されたものであって、本発明の第１の目的は、椅子等で座板部を昇下降させるスピンドルの見掛けが常に綺麗に維持されるようにし、第２の目的は、スピンドルの下端側にブッシング部材を一体に形成した後、ブッシング部材が外筒体の内壁に沿ってスライドされるようにして、異物がスピンドルに付いて外部に離脱される現象が全く発生しないようにし、第３の目的は、スピンドルにはブッシング部材を、さらに外筒体にはブッシングを結合させ、前記ブッシング部材とブッシングとの相互スライドを通じてグリースが外部に露出されずに遮断されるようにすることにある。
【課題を解決するための手段】
【００１４】
上記の目的を達成するために、本発明は、案内孔を有する外筒体と、前記案内孔に上下に挿入され、内壁にガス移動路が形成されるように、内側及び外側パイプからなるスピンドルと、ロッドの下端が前記外筒体の底面に固定され、ロッドの上端が前記内側パイプにスライド挿入されるピストンを有してなるピストンロッドと、前記スピンドルの上側に結合され、ガスの移動方向を制御するバルブピンの動作に応じて、前記ピストンを中心にして前記スピンドルが上下に動作されるように制御するバルブ体と、前記スピンドルの下端部の外側に、前記外筒体の内壁とスライド接するように突き出て形成されたブッシング部材と、前記外筒体の上端に結合され、前記スピンドルを案内するように案内孔を有するブッシングキャップと、を含むことで具現することができる。
【００１５】
前記ブッシング部材が、前記スピンドルの外側に一体型に形成されるようにすることが望ましい。
【００１６】
前記ブッシング部材が、パイプ状に前記スピンドルを挟んで結合されることを適用することができる。
【００１７】
前記ブッシングキャップは、底面に前記外筒体の上側の外面を囲んで支持するように補強部が形成されたことを適用することができる。
【００１８】
尚、前記補強部の外側に、上端が前記補強部を支持し、下端が下向延長され、その端部が前記外筒体の外側に固定されるキャンパイプが結合されるようにすることができる。
【００１９】
さらに、前記外筒体の外側にパイプ状の補強パイプが更に結合されるようにすることができる。
【発明の効果】
【００２０】
本発明は、座板部を有する椅子にガスシリンダーを適用した状態で、グリースをスピンドルの下端に形成されたブッシング部材と、外筒体の内壁に塗布した後、スピンドルが上下動作をするようになると、ブッシング部材が外筒体の内壁に沿ってスライド移動することによって、グリースがスピンドルの外面に付かないため、美しくて綺麗な見掛けの確保ができる効果がある。
【００２１】
尚、外筒体の上端にブッシングキャップが備えられ、スピンドルの美しくて綺麗な見掛けの確保ができる効果がある。
【図面の簡単な説明】
【００２２】
【図１】従来のガスシリンダーの縦断面の使用状態図である。
【図２】本発明に係るグリース遮断用ガスシリンダーの縦断面の使用状態図である。
【図３】図２の「Ｃ」部の拡大図である。
【図４】図２及び図３におけるブッシング部材を示した要部縦断面図である。
【図５】図４におけるブッシング部材に関する他の例である。
【図６】図４におけるブッシング部材に関する更に他の例である。
【図７】図２におけるブッシング部材とブッシングキャップとの結合関係を示す縦断面図である。
【図８】図７の他の例である。
【図９】本発明に係るグリース遮断用ガスシリンダーの他の実施の形態である。
【図１０】図９の「Ｊ」部の拡大図である。
【発明を実施するための形態】
【００２３】
以下、本発明に係る好ましい実施の形態を、添付の図面を参照しながら詳細に説明し、本発明を説明することにおいて関連の公知技術等は、本発明の要旨を不明にする可能性があると判断される場合、その詳細な説明を省略する。
【００２４】
本発明は、椅子等に座板部の高さを調節するために適用するスピンドルの外面に、グリース等の液状の潤滑油が付いて、外部に露出されないようにするガスシリンダーに関する。
【００２５】
＜第１の実施の形態＞
本発明は、図２及び図３に示すように、外筒体１００と、外筒体１００に挿入されて昇下降されるスピンドル２００と、外筒体１００に結合されてスピンドル２００を昇下降させるピストンロッド３００と、エア流路を変更させるバルブ体４００と、スピンドル２００に結合されて外筒体１００にスライドされるブッシング部材５００、及び前記外筒体１００の上端に結合されて前記スピンドル２００を案内するように案内孔６１０を有するブッシングキャップ６００で構成される。
【００２６】
前記外筒体１００は、公知のように、中心に上下方向に貫通して形成される案内孔１１０が形成される。
【００２７】
前記スピンドル２００は、前記案内孔１１０に挿入され、内壁にガス移動路が形成されるように、内側及び外側パイプ２２０、２４０からなる。
【００２８】
前記ピストンロッド３００は、ピストン３４０とロッド３２０からなり、前記ロッド３２０の下端が前記外筒体１００の内部の底面に固定され、前記ロッド３２０の上端にピストン３４０が結合される。前記ピストン３４０は、公知のように、前記スピンドル２００の内側パイプ２２０にスライド挿入される。
【００２９】
前記バルブ体４００は、公知の技術と同一であり、前記スピンドル２００の上側に結合され、ガスの移動方向を制御するバルブピン４２０の動作に応じて、前記ピストン３４０を中心にして前記スピンドル２００が上下に動作されるように制御する。
【００３０】
前記バルブピン４２０は、図示しないが、レバーの上下動作に応じて前記バルブ体４００のガス流路を制御する。
【００３１】
前記ブッシング部材５００は、本発明の核心要旨であって、前記スピンドル２００の外側に前記外筒体１００の内壁と接するように結合され、前記スピンドル２００の上下移動の際、スライドのために投入されたグリースが外部に離脱されることを防止する。
【００３２】
前記ブッシング部材５００は、前記スピンドル２００に多様な形態に結合可能であり、図４に示すように、前記スピンドル２００の外側に一体型に、前記スピンドル２００を製造する際に共に成形されることができ、図５に示すように、パイプ状に前記スピンドル２００を挟み、熔接方式を通じて結合すると共に、図６に示すように、薬液の塗布によるコーティング材によって突き出て形成されることができる。
【００３３】
前記ブッシングキャップ６００は、金属及び合成樹脂の素材であって、図３に示すように、前記外筒体１００の上端に結合され、中心に前記スピンドル２００を案内するように上下に貫通される案内孔６１０が形成される。さらに、前記ブッシングキャップ６００の底面に前記外筒体１００の上側の外面を囲んで支持するように補強部６２０が形成される。
【００３４】
前記補強部６２０は、金属及び合成樹脂の素材であって、内壁が前記外筒体１００の上端部の内壁または外壁に密着され、前記外筒体１００の剪断変形を支持するようになる。
【００３５】
尚、図７に示すように、前記補強部６２０の外側に更に安定した支持力のためにキャンパイプ７００が設けられ、前記キャンパイプ７００は、上端が前記補強部６２０を囲む形態に支持され、下端が一定距離を空けて下向延長した状態で、その端部が前記外筒体１００の外側に固定される。
【００３６】
さらに、図８に示すように、前記外筒体１００の外側で、脆弱な部分にパイプ状の補強パイプ８００が更に結合されることができる。
【００３７】
以上のように構成されたガスシリンダーを組み立てた後、椅子の座板に設ければ良い。
【００３８】
その後、座板部を昇降または下降させると、ブッシング部材５００が外筒体１００の内側の壁面に沿って昇下降する。その際、グリースはブッシング部材５００の区間のみに塗布されることにより、外部に露出されるスピンドル２００にはグリースが全く付かなくなる。
【００３９】
＜第２の実施の形態＞
本発明は、図９及び図１０に示すように、案内孔を有する外筒体１００と、前記案内孔に挿入され、内壁にガス移動路が形成されるように、内側及び外側パイプ２２０、２４０からなるスピンドル２００と、ロッド３２０の下端が前記外筒体１００の底面に固定され、ロッド３２０の上端が前記内側パイプ２２０にスライド挿入されるピストン３４０を有してなるピストンロッド３００と、前記スピンドル２００の上側に結合され、ガスの移動方向を制御するバルブピンの動作に応じて、前記ピストン３４０を中心にして前記スピンドル２００が上下に動作されるように制御するバルブ体４００と、前記バルブピンを動作させるレバー及び前記スピンドル２００の外側に前記外筒体１００の内壁と接するように備えられるブッシング部材５００、及び前記外筒体１００の内壁に結合され、内壁が前記スピンドル２００のブッシング部材５００と接する外筒ブッシング９００で構成される。
【００４０】
前記外筒ブッシング９００は、合成樹脂の素材であって、中空状であり、外面が前記外筒体１００の内壁に一体型に結合され、内壁に前記ブッシング部材５００がスライド昇下降するようになる。
【００４１】
上記の外筒体１００、スピンドル２００、ピストンロッド３００、バルブ体４００、ブッシング部材５００の構成は、第１の実施の形態と同様の構成及び機能を有するものであって、詳細な説明は省略する。
【００４２】
これによって、外筒ブッシング９００の内壁にグリースを投入した状態で、スピンドル２００が昇降及び下降動作を繰り返すと、スピンドル２００に結合されたブッシング部材５００が外筒ブッシング９００の内壁面に沿ってスライド昇降及び下降することによって、外部に露出されるスピンドル２００には、摩擦のために投入されたグリースが露出しなくなる。
【符号の説明】
【００４３】
１００  外筒体
１１０  案内孔
２００  スピンドル
２２０  内側パイプ
２４０  外側パイプ
３００  ピストンロッド
３２０  ロッド
３４０  ピストン
４００  バルブ体
５００  ブッシング部材
６００  ブッシングキャップ
６１０  案内孔
６２０  補強部
７００  キャンパイプ
８００  補強パイプ
９００  外筒ブッシング  
【図１】
2015007472.tif 000003
【図２】
2015007472.tif 000004
【図３】
2015007472.tif 000005
【図４】
2015007472.tif 000006
【図５】
2015007472.tif 000007
【図６】
2015007472.tif 000008
【図７】
2015007472.tif 000009
【図８】
2015007472.tif 000010
【図９】
2015007472.tif 000011
【図１０】
2015007472.tif 000012